(57)【要約】【課題】ウインドウ枠材１０の上方において、走行風の整流が所望される整流範囲Ｗに対してデフレクタ３２を突出できる開閉ルーフ車の整流構造を提供することを目的とする。【解決手段】車両１の上部を開閉自在に覆う開閉ルーフ２０と、開閉ルーフ２０の前端が当接するウインドウ枠材１０と、ウインドウ枠材１０よりも上方へ出没可能に支持されたデフレクタ３２と、デフレクタ３２を付勢するトーションスプリング３３とを備え、開閉ルーフ２０が開いた際、トーションスプリング３３によってデフレクタ３２が上昇する開閉ルーフ車の整流構造であって、ウインドウ枠材１０に、デフレクタ３２における車幅方向の一端近傍を回転自在に軸支する軸部３１を備え、デフレクタ３２における車幅方向の他端近傍に、開閉ルーフ２０が開いた状態において、ウインドウ枠材１０の上方における整流範囲Ｗと対向するデフレクタ先端部３２１を備えたことを特徴とする。【選択図】図６
2016107852.tif 000002
【特許請求の範囲】
【請求項１】
車両の上部を開閉自在に覆う開閉ルーフと、
該開閉ルーフの前端が当接するとともに、フロントウインドウガラスを支持するウインドウ枠材と、
該ウインドウ枠材よりも上方へ出没可能に支持されたデフレクタと、
該デフレクタを付勢する付勢手段とを備え、
前記開閉ルーフが開いた際、前記付勢手段によって前記デフレクタが上昇する開閉ルーフ車の整流構造であって、
前記ウインドウ枠材に、
車両後方へ向けて突出するとともに、前記デフレクタにおける車幅方向の一端近傍を回転自在に軸支する軸部を備え、
前記デフレクタにおける車幅方向の他端近傍に、
前記開閉ルーフが開いた状態において、前記ウインドウ枠材の上方における所定範囲と対向する受風部を備えた
開閉ルーフ車の整流構造。
【請求項２】
前記開閉ルーフの前端に、
前記ウインドウ枠材の上部に対する相対位置を合わせる位置決め手段、または前記ウインドウ枠材の上部と係合する係合手段を備え、
前記開閉ルーフが閉じた状態において、前記デフレクタにおける前記位置決め手段または前記係合手段と対向する部分に、
少なくとも車両下方側が開口する形状に切欠いた切欠き部分を設けた
請求項１に記載の開閉ルーフ車の整流構造。
【請求項３】
前記ウインドウ枠材に対して所定間隔を隔てた車両後方の位置に、
前記ウインドウ枠材の上部における車幅方向外側近傍と略対向するとともに、車両上方へ向けて突出した対向突出部を配置した
請求項１または請求項２に記載の開閉ルーフ車の整流構造。
【発明の詳細な説明】
【技術分野】
【０００１】
この発明は、例えば開閉自在な開閉ルーフを有する自動車において、開閉ルーフを開いた際、車両上部を流れる走行風を整流するデフレクタが展開されるような開閉ルーフ車の整流構造に関する。
【背景技術】
【０００２】
乗員が乗り込む車室部の上部に開閉自在な開閉ルーフを有する自動車、所謂、オープンカーにおいて、開閉ルーフが閉じた状態（クローズ状態）では、車両前方からの走行風が車体表面に沿って車両後方へ流動する。
【０００３】
一方、開閉ルーフが開いた状態（オープン状態）では、車両上部の開口によって走行風が車両後方へ安定して流れ難くなるため、開閉ルーフが閉じた状態に比べて、車両上部を流れる走行風の流れが変化する。
【０００４】
このため、開閉ルーフが開いた状態では、車室内へ巻き込むように走行風が流動することによる騒音（所謂、巻込み音）や、フロントウインドウガラスを支持するウインドウ枠材と走行風との衝突による騒音（所謂、風切り音）などが発生するおそれがある。このように開閉ルーフを開いた状態における特有の騒音は、乗員に不快感を与える要因となる。  
そこで、開閉ルーフを開いた状態における特有の騒音を抑制する様々な技術が提案されている。
【０００５】
例えば、特許文献１には、ルーフ部分を取り外して開閉する開閉ルーフを有する自動車において、開閉ルーフで閉塞される開口部の前縁に設けたエアデフレクタを、開閉ルーフを開いた際、車両上方、かつ車幅方向内側へ向けて略平行移動させる昇降式支持手段を備えたエアデフレクタ装置が提案されている。これにより、特許文献１は、簡素な構成でエアデフレクタを昇降でき、開閉ルーフを開いた状態における特有の騒音を抑制できるとされている。
【０００６】
ところで、左右一対のフロントピラーと、フロントピラーの上端を連結する連結部材とで構成されたウインドウ枠材において、フロントピラーと連結部材との接合部分は、車幅方向から車両前方下方へ向けて三次元的に湾曲した形状に形成されている。このため、車両前方からの走行風が接合部分近傍に衝突すると、意図しない方向に走行風が流動する、あるいは意図しない乱流が発生するおそれがある。
【０００７】
この際、特許文献１のように車幅方向に長いデフレクタで、接合部分近傍を流れる走行風を整流すると、所望する整流箇所である接合部分近傍以外を流れる走行風もデフレクタで偏向されるため、意図しない新たな騒音が発生するおそれがある。
【０００８】
例えば、乗員の頭部を保護するロールバーやラジオアンテナのような車両上方に突出する突出物が、乗員よりも車両後方に配設された車両において、車幅方向に長いデフレクタで整流すると、所望する整流箇所以外を流れる走行風と車両後方の突出物との衝突による騒音が発生するという新たな問題が生じるおそれがあった。
【先行技術文献】
【特許文献】
【０００９】
【特許文献１】特開昭５９−１２４４３２号公報
【発明の概要】
【発明が解決しようとする課題】
【００１０】
本発明は、上述の問題に鑑み、ウインドウ枠材の上方において、走行風の整流が所望される所定範囲に対してデフレクタを突出できる開閉ルーフ車の整流構造を提供することを目的とする。
【課題を解決するための手段】
【００１１】
この発明は、車両の上部を開閉自在に覆う開閉ルーフと、該開閉ルーフの前端が当接するとともに、フロントウインドウガラスを支持するウインドウ枠材と、該ウインドウ枠材よりも上方へ出没可能に支持されたデフレクタと、該デフレクタを付勢する付勢手段とを備え、前記開閉ルーフが開いた際、前記付勢手段によって前記デフレクタが上昇する開閉ルーフ車の整流構造であって、前記ウインドウ枠材に、車両後方へ向けて突出するとともに、前記デフレクタにおける車幅方向の一端近傍を回転自在に軸支する軸部を備え、前記デフレクタにおける車幅方向の他端近傍に、前記開閉ルーフが開いた状態において、前記ウインドウ枠材の上方における所定範囲と対向する受風部を備えたことを特徴とする。
【００１２】
上記開閉ルーフは、車両後方へ折り畳むように格納される開閉ルーフ、あるいはルーフ部分を取り外し可能な開閉ルーフであって、幌布や幌骨で構成したソフトトップ、あるいは金属製ルーフで構成したハードトップとすることができる。  
上記ウインドウ枠材は、鋼板で構成した枠材、あるいは鋼板で構成した枠材にトリムやガーニッシュを装着した枠材などとすることができる。
【００１３】
上記開閉ルーフが開いた際とは、例えば車両後部に折り畳むように格納される開閉ルーフにおいて、ウインドウ枠材から開閉ルーフの前端が離間開始した状態をいう。  
上記所定範囲は、車幅方向に所定長さを有するとともに、走行風の整流が所望される範囲であって、例えば、ウインドウ枠材における車幅方向外側の端部近傍の上方などとすることができる。
【００１４】
この発明により、ウインドウ枠材の上方において、走行風の整流が所望される所定範囲に対してデフレクタを突出することができる。  
具体的には、軸部によって回転自在に軸支されているため、デフレクタは、開閉ルーフが開いた際、付勢手段の付勢力によって、軸部を回転中心として車両上方に回転することができる。
【００１５】
すなわち、開閉ルーフが閉じた状態におけるデフレクタの位置である格納位置から、開閉ルーフが開いた状態におけるデフレクタの位置である展開位置へ向けて、デフレクタは、回転することができる。
【００１６】
このため、デフレクタの受風部は、ウインドウ枠材の上方に突出した際、所定範囲と確実に対向することができる。さらに、回動によって受風部がウインドウ枠材の上方に突出するため、開閉ルーフの整流構造は、所定範囲の広さが狭い場合であっても、受風部だけを所定範囲に対して確実に、かつ容易に対向させることができる。
【００１７】
これにより、例えば、ウインドウ枠材の車幅方向外側における端部近傍の上方を所定範囲とし、ウインドウ枠材の車幅方向内側に軸部を備えた場合、デフレクタは、ウインドウ枠材の車幅方向外側における端部近傍の上方を流れる走行風を整流することができる。
【００１８】
あるいは、ウインドウ枠材における乗員と略対向する部分の上方を所定範囲とし、ウインドウ枠材の車幅方向外側に軸部を備えた場合、デフレクタは、ウインドウ枠材における乗員と略対向する部分の上方を流れる走行風を整流することができる。
【００１９】
つまり、開閉ルーフ車の整流構造は、整流が所望される空間を流れる走行風を、軸部を回転中心として回動するデフレクタによって、容易に整流することができる。  
従って、開閉ルーフ車の整流構造は、ウインドウ枠材の上方における所定範囲に対してデフレクタを突出することができ、走行風を確実に整流することができる。
【００２０】
この発明の態様として、前記開閉ルーフの前端に、前記ウインドウ枠材の上部に対する相対位置を合わせる位置決め手段、または前記ウインドウ枠材の上部と係合する係合手段を備え、前記開閉ルーフが閉じた状態において、前記デフレクタにおける前記位置決め手段または前記係合手段と対向する部分に、少なくとも車両下方側が開口する形状に切欠いた切欠き部分を設けることができる。
【００２１】
上記位置決め手段は、例えば、ウインドウ枠材に設けた開口に挿入される位置決め部材、あるいはウインドウ部材に設けた位置決め部材の挿入を許容する開口孔や凹部などとすることができる。
【００２２】
上記係合手段は、例えば、ウインドウ枠材に設けたストライカーに係止されるロック部材を有するロック機構部、あるいはウインドウ部材に設けたロック機構部のロック部材が係止されるストライカーなどとすることができる。
【００２３】
この発明により、開閉ルーフ車の整流構造は、位置決め手段または係合手段とデフレクタとの干渉を防止することができる。  
具体的には、例えば、デフレクタの形状が車幅方向に長い正面視略帯状の場合、開閉ルーフを閉じると、位置決め手段または係合手段の車両前方にデフレクタが位置することになる。このため、開閉ルーフの位置決め手段または係合手段とデフレクタとが干渉して、開閉ルーフを正常に閉じることができないおそれがある。
【００２４】
そこで、切欠き部分をデフレクタに備えたことにより、開閉ルーフ車の整流構造は、開閉ルーフが閉じた状態であっても、位置決め手段または係合手段とウインドウ枠材との間にデフレクタが介在することがない。
【００２５】
これにより、開閉ルーフ車の整流構造は、開閉ルーフを閉じた際、位置決め手段または係合手段と、デフレクタとの干渉を防止することができる。  
従って、開閉ルーフ車の整流構造は、デフレクタの切欠き部分によって、開閉ルーフが閉じた際、位置決め手段または係合手段とデフレクタとの干渉を防止でき、開閉ルーフを正常に閉じることができる。
【００２６】
またこの発明の態様として、前記ウインドウ枠材に対して所定間隔を隔てた車両後方の位置に、前記ウインドウ枠材の上部における車幅方向外側近傍と略対向するとともに、車両上方へ向けて突出した対向突出部を配置することができる。
【００２７】
上記対向突起部としては、例えば、車両後部に格納した開閉ルーフを覆うデッキカバーにおいて、車両上方に突出するとともに、乗員の頭部を保護するような突出部、ドライバーシート後方に配設されたロールバー、車両後部に配置したアンテナ、クォータガラス、センターピラー、ドライバーシート、パッセンジャーシート、あるいはドライバーなどとすることができる。
【００２８】
この発明により、開閉ルーフ車の整流構造は、車両後方へ流れる走行風による騒音の発生をより抑制することができる。  
具体的には、開閉ルーフが閉じた状態では、走行風が車両表面に沿って車両後方へ流動するが、開閉ルーフが開いた状態では、車両上部の開口や車室内との圧力差によって走行風が車両後方へスムーズに案内されず、開閉ルーフが閉じた場合に比べて走行風の流れが乱れ易い。
【００２９】
このため、例えば、車両後方に配設したデッキカバーが、乗員の頭部を保護するように車両上方に突出するとともに、ウインドウ枠材と略対向する略門型形状の場合、開閉ルーフが開いた状態では、車両上部の開口を飛び越えるように車両後方へ流動した走行風が、デッキカバーと衝突して、風切り音などの騒音が発生することがある。
【００３０】
そこで、開閉ルーフが開いた際、ウインドウ枠材の上方における所定範囲に突出するデフレクタを備えたことにより、開閉ルーフ車の整流構造は、走行風を偏向してより車両後方へ流動させることができる。
【００３１】
これにより、開閉ルーフ車の整流構造は、車両上部の開口を超えて車両後方へ流動する走行風が、対向突出部に衝突することを防止できる。このため、開閉ルーフ車の整流構造は、車両後方において、乗員を保護する形状のデッキカバーやロールバーなどを容易に配設することができ、デザイン性の向上や安全性の向上を図ることができる。
【００３２】
従って、開閉ルーフ車の整流構造は、ウインドウ枠材と略対向する対向突出部が車両後方に配設された場合であっても、車両後方へ流れる走行風による騒音の発生をより抑制することができる。
【発明の効果】
【００３３】
本発明により、ウインドウ枠材の上方において、走行風の整流が所望される所定範囲に対してデフレクタを突出できる開閉ルーフ車の整流構造を提供することができる。
【図面の簡単な説明】
【００３４】
【図１】開閉ルーフを閉じた状態における車両の外観を示す外観斜視図。
【図２】開閉ルーフを開いた状態における車両の外観を示す外観斜視図。
【図３】開閉ルーフを格納開始した状態における車両の左側面を示す左側面図。
【図４】開閉ルーフにおける車両左側前端の外観を示す外観斜視図。
【図５】ウインドウ枠材における上部を車両後方から見た外観を示す外観斜視図。
【図６】開閉ルーフが開いた状態におけるデフレクタ装置の背面を示す背面図。
【図７】図６中のＡ−Ａ矢視断面図。
【図８】開閉ルーフが閉じた状態におけるデフレクタ装置の背面を示す背面図。
【図９】図８中のＡ−Ａ矢視断面図。
【図１０】図８中のＢ−Ｂ矢視断面図。
【図１１】開閉ルーフを閉じる過程におけるＡ−Ａ矢視断面図。
【発明を実施するための形態】
【００３５】
この発明の一実施形態を以下図面と共に説明する。  
まず、本実施形態における車両１について、図１から図５を用いて詳しく説明する。
【００３６】
なお、図１は開閉ルーフ２０を閉じた状態における車両１の外観斜視図を示し、図２は開閉ルーフ２０を開いた状態における車両１の外観斜視図を示し、図３は開閉ルーフ２０を格納開始した状態における車両１の左側面図を示し、図４は開閉ルーフ２０における車両左側前端の外観斜視図を示し、図５はウインドウ枠材１０における上部を車両後方から見た外観斜視図を示している。  
また、図３中において図示を簡略化するために開閉ルーフ２０の格納リンク機構の図示を省略している。
【００３７】
また、図中において、矢印Ｆｒ及びＲｒは車両前後方向を示しており、矢印Ｆｒは車両前方を示し、矢印Ｒｒは車両後方を示している。さらに、矢印Ｒｈ及びＬｈは車幅方向を示しており、矢印Ｒｈは車両右方向を示し、矢印Ｌｈは車両左方向を示している。加えて、図中の上方を車両上方とし、図中の下方を車両下方とする。
【００３８】
本実施形態における車両１は、図１及び図２に示すように、前輪２やボンネット３が配設された車両前部４と、後輪５やトランクリッド６が配設された車両後部７と、車両前部４及び車両後部７との間に位置するとともに、乗員が乗り込む車室部８とで構成している。そして、車両１は、車室部８の車両上方を覆うルーフ部分が開閉自在に構成された、所謂、オープンカーである。
【００３９】
車両１における開閉ルーフ２０は、図１及び図２に示すように、車室部８の上部において、フロントウインドウガラス９を支持するウインドウ枠材１０の上部に着脱自在に連結されるルーフ前部２１と、ルーフ前部２１の後方に位置するルーフ後部２２とで構成している。
【００４０】
この開閉ルーフ２０は、車室部８の後方に位置するデッキカバー２３の下方に設けた格納空間（図示省略）に折り畳むようにして格納される構成とする。より詳しくは、開閉ルーフ２０は、図３に示すように、乗員の操作によって、車両後方上方へデッキカバー２３が移動したのち、車両前後方向に分離したルーフ前部２１、及びルーフ後部２２が、リアウインドウガラス２４とともに折り畳まれるようにして車両後方の格納空間に格納される構成である。
【００４１】
なお、本実施形態におけるデッキカバー２３は、図１及び図２に示すように、車室部８の後方において、乗員の頭部を保護するように車両上方へ突出した形状に形成している。より詳しくは、デッキカバー２３は、側面視において、開閉ルーフ２０におけるルーフ後部２２の上面とトランクリッド６の上面とが車両前後方向で連続するように車両上方へ突出するとともに、正面視において、ウインドウ枠材１０と車両前後方向で略対向する正面視略門型形状に形成している。
【００４２】
さらに、開閉ルーフ２０におけるルーフ前部２１には、図４に示すように、車幅方向外側の両端に車両前方へ突出する位置決め部材２５を備えるとともに、車幅方向略中央にロック機構（図示省略）を備えている。
【００４３】
位置決め部材２５は、ルーフ前部２１に対してボルトによって装着固定されるベースプレート２５ａ（図９参照）と、ベースプレート２５ａの先端を覆うアルミダイキャスト製の先端部分２５ｂ（図９参照）とで一体的に構成している。この位置決め部材２５は、開閉ルーフ２０を閉じる際、後述する位置決め台座１４２に挿入することで、開閉ルーフ２０の車幅方向への移動を規制するものである。
【００４４】
ロック機構は、開閉ルーフ２０の車幅方向への移動が規制された状態において、ウインドウ枠材１０に設けたロック受け部１４１（図５参照）に係合する、あるいはロック受け部１４１との係合を解放する機能を有している。これにより、ロック機構は、ウインドウ枠材１０と開閉ルーフ２０とを連結する、あるは連結を解除することができる。
【００４５】
ウインドウ枠材１０は、図１、図２、及び図５に示すように、左右一対のフロントピラー１１０と、フロントピラー１１０の上部を車幅方向で連結するフロントヘッダ１２０とで構成している。  
フロントピラー１１０は、図示を省略した鋼板製のピラーパネルと、車両の意匠面を構成するピラーガーニッシュ１１１と、車室部８側の意匠部分であるピラートリム１１２とで構成している。なお、ピラーガーニッシュ１１１がピラーパネルの車幅方向外側に装着され、ピラートリム１１２がピラーパネルの車幅方向内側に装着されている。
【００４６】
フロントヘッダ１２０は、車両上方に位置するヘッダアウタパネル１２１（図７参照）、及び車両下方に位置するヘッダインナパネル１２２（図７参照）を一体的に接合したヘッダパネル１２３（図７参照）と、車両の意匠面を構成するヘッダガーニッシュ１２４と、車室部８側の意匠部分であるヘッダトリム１２５とで構成している。なお、ヘッダガーニッシュ１２４が、ヘッダアウタパネル１２１の車両上方側に装着され、ヘッダトリム１２５がヘッダインナパネル１２２の車両下方側に装着される。
【００４７】
加えて、ウインドウ枠材１０のピラーパネルにおける後端には、図５に示すように、ドアガラス１１（図１参照）との隙間を閉塞するウェザストリップゴム１３１を装着している。さらに、ウインドウ枠材１０のヘッダパネル１２３における後端には、図５に示すように、開閉ルーフ２０の前端との隙間を閉塞するウェザストリップゴム１３２を装着している。
【００４８】
このようなウインドウ枠材１０の上部（ヘッダパネル１２３）には、図５に示すように、開閉ルーフ２０のロック機構が係止するロック受け部１４１が車幅方向略中央に配設され、位置決め台座１４２が車幅方向外側の両端に装着されている。
【００４９】
位置決め台座１４２は、アルミダイキャスト製であって、開閉ルーフ２０の位置決め部材２５の挿入を許容する凹部１４２ａが形成されている。この位置決め台座１４２は、ヘッダインナパネル１２２の下面に対してボルト止めによって固定されている。
【００５０】
さらに、車両１には、ウインドウ枠材１０の車幅方向外側における端部近傍の上方を流れる走行風を整流して、デッキカバー２３の車幅方向外側部分と走行風との衝突を回避するデフレクタ装置３０を、ウインドウ枠材１０の上部における車幅方向両端に備えている。具体的には、デフレクタ装置３０は、ウインドウ枠材１０に装着した位置決め台座１４２よりも車幅方向内側で、乗員の略正面に位置する部分に配置している。
【００５１】
引き続き、デフレクタ装置３０について、図６から図１１を用いて詳しく説明する。なお、車両左側に配設されるデフレクタ装置３０と、車両右側に配設されるデフレクタ装置３０とは左右対称の構成であるため、本実施形態では車両左側に配設されるデフレクタ装置３０について説明する。
【００５２】
図６は開閉ルーフ２０が開いた状態におけるデフレクタ装置３０の背面図を示し、図７は図６中のＡ−Ａ矢視断面図を示し、図８は開閉ルーフ２０が閉じた状態におけるデフレクタ装置３０の背面図を示し、図９は図８中のＡ−Ａ矢視断面図を示し、図１０は図８中のＢ−Ｂ矢視断面図を示し、図１１は開閉ルーフ２０を閉じる過程におけるＡ−Ａ矢視断面図を示している。  
なお、図８において図示を明確にするため、位置決め部材２５を除く開閉ルーフ２０の図示を省略している。
【００５３】
デフレクタ装置３０は、図６及び図７に示すように、開閉ルーフ２０が開いた状態において、ウェザストリップゴム１３２の上部よりも車両上方にデフレクタ３２の上端が位置する展開位置と、図８及び図９に示すように、開閉ルーフ２０が閉じた状態において、ウェザストリップゴム１３２の上部よりも車両下方にデフレクタ３２の上端が位置する格納位置とに、デフレクタ３２を昇降させる機構を有している。
【００５４】
より詳しくは、デフレクタ装置３０は、図６、図７、及び図１０に示すように、ウェザストリップゴム１３２よりも車両後方において、ヘッダトリム１２５の下部を車両後方に延設して形成したトリム延設部１２６に固定されている。
【００５５】
なお、トリム延設部１２６は、ヘッダトリム１２５の下部から車両後方に延設した延設底部１２６ａと、延設底部１２６ａの後端から車両上方に立設した後方壁部１２６ｂと、後方壁部１２６ｂに対して車両前方側で対向する前方壁部１２６ｃとで一体形成している。
【００５６】
延設底部１２６ａは、図６及び図１０に示すように、位置決め台座１４２よりも車幅方向内側から、ウインドウ枠材１０における車幅方向略中央近傍に至る車幅方向の長さを有するとともに、ヘッダトリム１２５の下部後端からデフレクタ３２に至る前後方向の長さを有する略平板状に形成している。
【００５７】
後方壁部１２６ｂは、図１０に示すように、開閉ルーフ２０が閉じた状態において、開閉ルーフ２０における内装部材であるルーフトリム２６と、デフレクタ３２との間で、延設底部１２６ａの後端から車両上方に向けて立設している。この後方壁部１２６ｂには、後述するデフレクタ装置３０の軸部３１における後端を支持する軸孔（図示省略）を、車幅方向内側の端部近傍に開口形成している。
【００５８】
前方壁部１２６ｃは、図１０に示すように、ヘッダトリム１２５と後方壁部１２６ｂとの間において、車両上方へ向けて立設している。この前方壁部１２６ｃには、後方壁部１２６ｂの軸孔と車両前後方向で対向する位置に、後述するデフレクタ装置３０の軸部３１における前端を支持する軸孔（図示省略）を開口形成している。なお、前方壁部１２６ｃは、後方壁部１２６ｂの車幅方向内側における端部近傍と対向する範囲に立設している。
【００５９】
デフレクタ装置３０は、図６及び図７に示すように、トリム延設部１２６における車幅方向の内側端部近傍に装着された軸部３１と、ウェザストリップゴム１３２の車両後方側において軸部３１に回転自在に軸支されたデフレクタ３２と、軸部３１に巻着されたトーションスプリング３３とで構成している。
【００６０】
軸部３１は、図６及び図１０に示すように、車両前後方向を軸方向とする略円柱状体であって、後方壁部１２６ｂの軸孔、及び前方壁部１２６ｃの軸孔を介して、後方壁部１２６ｂ、及び前方壁部１２６ｃに装着されている。
【００６１】
この軸部３１としては、例えば、一端近傍にねじ山を有し、他端に頭部を有するボルトと、ネジ山に螺合するナットとで構成した軸部、あるいは一端にフランジを有し、他端に径方向に貫通孔を有する柱状部材と、貫通孔に挿着される抜け止めピンとで構成した軸部などとする。
【００６２】
デフレクタ３２は、図６から図９に示すように、車両前後方向に所定の厚みを有するとともに、車両上下方向の長さに対して、車幅方向の長さが長い背面視略矩形に形成している。このデフレクタ３２は、図６及び図８に示すように、ウインドウ枠材１０の車幅方向外側における端部近傍において、位置決め台座１４２、及びウインドウ枠材１０の上方の空間である整流範囲Ｗを流れる走行風を整流可能に形成している。
【００６３】
より詳しくは、デフレクタ３２は、車幅方向外側の端部であるデフレクタ先端部３２１と、軸部３１に回転自在に軸支されるデフレクタ中間部３２２と、車幅方向内側の端部であるストッパ部３２３とを、車幅方向外側からこの順番で一体形成している。
【００６４】
なお、デフレクタ３２における車幅方向の長さは、図８に示すように、開閉ルーフ２０が閉じた状態において、位置決め台座１４２の車幅方向外側端部よりも車幅方向外側から、ウインドウ枠材１０における車幅方向略中央近傍に至る長さに形成している。
【００６５】
一方、デフレクタ３２における上下方向の長さは、図９に示すように、開閉ルーフ２０が閉じた状態において、開閉ルーフ２０の前端下面と、トリム延設部１２６の延設底部１２６ａとの上下方向間隔よりも短い長さで形成している。
【００６６】
デフレクタ先端部３２１は、図６及び図８に示すように、開閉ルーフ２０が開いた状態において、ウェザストリップゴム１３２の上端よりも車両上方に突出するとともに、デフレクタ先端部３２１の上方部分が整流範囲Ｗと対向する形状に形成している。なお、デフレクタ先端部３２１の上方部分は、図７に示すように、車両後方へ向けて湾曲するように傾斜した形状に形成している。
【００６７】
さらに、このデフレクタ先端部３２１は、図８及び図９に示すように、開閉ルーフ２０が閉じた状態において、位置決め台座１４２における車幅方向の長さと略同等の車幅方向の長さを有するとともに、位置決め部材２５の先端部分２５ｂにおける上端よりも車両上方に下端が位置する形状に形成している。
【００６８】
デフレクタ中間部３２２は、図８に示すように、背面視において車幅方向に長く、車幅方向内側ほど上下方向の長さが短い略平板状に形成している。さらに、デフレクタ中間部３２２の車幅方向外側における上下方向の長さは、デフレクタ先端部３２１の車幅方向内側における上下方向の長さよりも長く形成している。このデフレクタ中間部３２２における車幅方向内側には、軸部３１の挿通を許容する開口孔（図示省略）を開口形成している。
【００６９】
ストッパ部３２３は、図６、図８、及び図１０に示すように、デフレクタ中間部３２２における車幅方向内側の端部を延設して略平板状に形成している。さらに、ストッパ部３２３の下面は、開閉ルーフ２０が閉じた状態において、トリム延設部１２６の延設底部１２６ａと当接する当接面３２３ａとして形成している。
【００７０】
このような構成のデフレクタ３２は、背面視において、デフレクタ先端部３２１の上端、デフレクタ中間部３２２の上端、及びストッパ部３２３の上端が車幅方向に沿って連続するとともに、デフレクタ中間部３２２の下端、及びストッパ部３２３の下端が車幅方向に沿って連続する形状に形成している。
【００７１】
このため、デフレクタ３２は、背面視において、デフレクタ中間部３２２の下端に対して、デフレクタ先端部３２１の下端が車両上方に位置する段付き形状に形成している。換言すると、デフレクタ３２は、位置決め部材２５と対向する部分を切り欠いた形状に形成している。この切り欠いた部分を、デフレクタ先端部３２１における切欠き部分３２１ａとする。
【００７２】
トーションスプリング３３は、弾性を有する金属製丸棒材を軸部３１の外径よりも大径でコイル状に巻き回すとともに、両端を略直線状に延設した形状に形成している。なお、トーションスプリング３３は、軸部３１を回転中心として、デフレクタ３２が車両下方に回転すると、回転方向とは逆方向に付勢力が生じる構成とする。
【００７３】
このトーションスプリング３３は、図１０に示すように、コイル状に巻き回した一端から延設した部分をデフレクタ３２の上端に係止し、コイル状に巻き回した他端から延設した部分をトリム延設部１２６の前方壁部１２６ｃに係止している。
【００７４】
次に、上述した構成のデフレクタ装置３０において、展開位置から格納位置にデフレクタ３２が移動する際の動作、及び格納位置から展開位置にデフレクタ３２が移動する際の動作について説明する。
【００７５】
まず、開閉ルーフ２０が開いた状態において、乗員の操作によって開閉ルーフ２０が閉じられると、開閉ルーフ２０は、折り畳まれていたルーフ前部２１、及びルーフ後部２２を展開しながら、車室部８の上方へ移動する。
【００７６】
その後、車室部８の上方において、開閉ルーフ２０は、図１１に示すように、その前端がウインドウ枠材１０と車両前後方向で対向する位置まで、車両上方から車両下方に向けて移動しながら、デフレクタ３２の上端と当接してデフレクタ３２を車両下方に押圧する。
【００７７】
この際、デフレクタ３２は、図６及び図８に示すように、軸部３１の軸方向を回転中心として、トーションスプリング３３の付勢力に抗しながら、車両下方へ向けて回転開始する。そして、ウインドウ枠材１０と車両前後方向で対向する位置まで開閉ルーフ２０が移動すると、デフレクタ３２が格納位置に移動完了する。
【００７８】
一方、開閉ルーフ２０が開くと、開閉ルーフ２０による押圧が解放されるため、トーションスプリング３３の付勢力によって、デフレクタ３２は、図６及び図８に示すように、軸部３１を中心に車両上方へ回転開始する。そして、デフレクタ３２のストッパ部３２３における当接面３２３ａが、トリム延設部１２６の延設底部１２６ａと回転方向で当接すると、デフレクタ３２が所望する展開位置に移動完了する。
【００７９】
以上のような動作を実現する車両１の整流構造は、ウインドウ枠材１０の上方において、走行風の整流が所望される整流範囲Ｗに対してデフレクタ３２を突出することができる。  
具体的には、軸部３１によって回転自在に軸支されているため、デフレクタ３２は、開閉ルーフ２０が開いた際、トーションスプリング３３の付勢力によって、軸部３１を回転中心として車両上方に回転することができる。
【００８０】
すなわち、格納位置から展開位置へ向けて、デフレクタ３２は、回転することができる。このため、デフレクタ３２のデフレクタ先端部３２１は、ウインドウ枠材１０の上方に突出した際、整流範囲Ｗと確実に対向することができる。
【００８１】
さらに、回動によってデフレクタ先端部３２１がウインドウ枠材１０の上方に突出するため、車両１の整流構造は、整流範囲Ｗの広さが狭い場合であっても、デフレクタ先端部３２１だけを整流範囲Ｗに対して確実に、かつ容易に対向させることができる。
【００８２】
これにより、デフレクタ３２は、ウインドウ枠材１０の車幅方向外側における端部近傍の上方を流れる走行風を整流することができる。つまり、車両１の整流構造は、整流が所望される空間を流れる走行風を、軸部３１を回転中心として回動するデフレクタ３２によって、容易に整流することができる。  
従って、車両１の整流構造は、ウインドウ枠材１０の上方における整流範囲Ｗに対してデフレクタ３２を突出することができ、走行風を確実に整流することができる。
【００８３】
また、開閉ルーフ２０が閉じた状態において、デフレクタ３２における位置決め部材２５と対向する部分に切欠き部分３２１ａを、デフレクタ３２に設けたことにより、車両１の整流構造は、位置決め部材２５とデフレクタ３２との干渉を防止することができる。
【００８４】
具体的には、例えば、デフレクタ３２の形状が車幅方向に長い正面視略帯状の場合、開閉ルーフ２０を閉じると、位置決め部材２５の車両前方にデフレクタ３２が位置することになる。このため、開閉ルーフ２０の位置決め部材２５とデフレクタ３２とが干渉して、開閉ルーフ２０を正常に閉じることができないおそれがある。
【００８５】
そこで、切欠き部分３２１ａをデフレクタ３２に備えたことにより、車両１の整流構造は、開閉ルーフ２０が閉じた状態であっても、位置決め部材２５とウインドウ枠材１０との間にデフレクタ３２が介在することがない。
【００８６】
これにより、車両１の整流構造は、開閉ルーフ２０を閉じた際、位置決め部材２５と、デフレクタ３２との干渉を防止することができる。  
従って、車両１の整流構造は、デフレクタ３２の切欠き部分３２１ａによって、開閉ルーフ２０が閉じた際、位置決め部材２５とデフレクタ３２との干渉を防止でき、開閉ルーフ２０を正常に閉じることができる。
【００８７】
また、ウインドウ枠材１０と略対向する形状のデッキカバー２３を配置した場合であっても、車両１の整流構造は、車両後方へ流れる走行風による騒音の発生をより抑制することができる。
【００８８】
具体的には、開閉ルーフ２０が閉じた状態では、走行風が車両表面に沿って車両後方へ流動するが、開閉ルーフ２０が開いた状態では、車両上部の開口や車室内との圧力差によって走行風が車両後方へスムーズに案内されず、開閉ルーフ２０が閉じた場合に比べて走行風の流れが乱れ易い。
【００８９】
このため、略門型形状のデッキカバー２３を車両後方に配設した場合、開閉ルーフ２０が開いた状態では、車両上部の開口を飛び越えるように車両後方へ流動した走行風が、デッキカバー２３の車幅方向外側部分と衝突して、風切り音などの騒音が発生することがある。
【００９０】
そこで、開閉ルーフ２０が開いた際、ウインドウ枠材１０の上方における整流範囲Ｗに突出するデフレクタ３２を備えたことにより、車両１の整流構造は、走行風を偏向してより車両後方へ流動させることができる。
【００９１】
これにより、車両１の整流構造は、車両上部の開口を超えて車両後方へ流動する走行風が、デッキカバー２３に衝突することを防止できる。このため、車両１の整流構造は、車両後方において、乗員を保護する形状のデッキカバーやロールバーなどを容易に配設することができ、デザイン性の向上や安全性の向上を図ることができる。
【００９２】
従って、車両１の整流構造は、ウインドウ枠材１０と略対向するデッキカバー２３が車両後方に配設された場合であっても、車両後方へ流れる走行風による騒音の発生をより抑制することができる。
【００９３】
なお、上述の実施形態において、ルーフ前部２１とルーフ後部２２とで構成したハードトップ型の車両１を用いて説明したが、これに限定せず、幌布や幌骨で構成したソフトトップ型の車両１であってもよい。  
また、車両後方への格納空間に向けて折り畳むように格納される開閉ルーフ２０としたが、これに限定せず、車両上部のルーフ部分が取り外し可能な開閉ルーフであってもよい。
【００９４】
また、車両上方へ突出したデッキカバー２３への走行風の衝突を回避するデフレクタ３２としたが、これに限定せず、ドライバーシート後方に配設されたロールバー、車両後部７に配置したアンテナ、クォータガラス、センターピラー、ドライバーシート、あるいはドライバーなどと走行風との衝突を回避するデフレクタ３２としてもよい。この際、車両前後方向におけるデフレクタ３２の断面形状は、所望する走行風の偏向方向に応じて適宜の形状に形成してもよい。
【００９５】
また、位置決め台座１４２の上方の空間を整流範囲Ｗとしたが、これに限定せず、ウインドウ枠材１０の上方であれば、適宜の範囲を整流範囲としてもよい。例えば、ウインドウ枠材１０における乗員と対向する部分の上方を整流範囲としてもよい。
【００９６】
また、ウインドウ枠材１０における車幅方向略中央近傍に軸部３１を配置したが、これに限定せず、整流範囲Ｗにデフレクタ先端部３２１が突出する構成であれば、適宜の位置に軸部３１を設けてもよい。例えば、ウインドウ枠材１０における乗員と対向する部分に軸部３１を設けて、ウインドウ枠材１０における車幅方向外側の上方、または車幅方向内側の上方の空間である整流範囲Ｗに対して、デフレクタ３２が突出するようにしてもよい。
【００９７】
また、開閉ルーフ２０の車幅方向外側両端に位置決め部材２５を配置したが、これに限定せず、例えば、ウインドウ枠材１０の車幅方向外側両端にロック受け部１４１を配置し、開閉ルーフ２０の車幅方向外側両端にロック機構部を配置してもよい。この場合であっても、車両１の整流構造は、上述した実施形態と同様の効果を奏することができる。
【００９８】
また、ウインドウ枠材１０に位置決め台座１４２を装着固定し、開閉ルーフ２０に位置決め部材２５を装着固定した構成としたが、これに限定せず、ウインドウ枠材１０に位置決め部材を装着固定し、開閉ルーフ２０に位置決め台座を装着固定した構成としてもよい。  
また、デフレクタ３２を付勢する付勢手段としてトーションスプリング３３を用いて説明したが、これに限定せず、デフレクタ３２を昇降可能であれば適宜の付勢手段であってもよい。
【００９９】
また、デフレクタ先端部３２１に切欠き部分３２１ａを設けたが、これに限定せず、少なくとも車両下方側が開口した切欠き部分を、開閉ルーフ２０の位置決め部材２５などの位置に応じて設けてもよい。例えば、格納位置にデフレクタ３２が位置する状態において、開閉ルーフ２０におけるデフレクタ中間部３２２と対向する位置に、位置決め部材２５を備えている場合、デフレクタ中間部３２２に切欠き部分３２１ａを設けてもよい。
【０１００】
また、トリム延設部１２６にデフレクタ装置３０を配置する構成としたが、これに限定せず、ウインドウ枠材１０に配設される構成であれば、適宜の構成としてもよい。例えば、ヘッダパネル１２３とは別体で構成した取付け部材を、ヘッダパネル１２３に装着するとともに、取付け部材に軸部３１、デフレクタ３２、及びトーションスプリング３３を装着する構成としてもよい。あるいは軸部を一体形成した取付け部材に、デフレクタ３２、及びトーションスプリング３３を装着する構成としてもよい。
【０１０１】
また、デフレクタ３２における車幅方向内側にストッパ部３２３を設けたが、これに限定せず、デフレクタ３２の回転を規制することができれば、適宜の構成としてもよい。例えば、ヘッダトリム１２５、あるいはトリム延設部１２６から膨出して形成するとともに、デフレクタ３２と当接するストッパ部としてもよい。
【０１０２】
また、軸部３１として、例えば、一端近傍にねじ山を有し、他端に頭部を有するボルトと、ネジ山に螺合するナットとで構成した軸部、あるいは一端にフランジを有し、他端に径方向に貫通孔を有する柱状部材と、貫通孔に挿着される抜け止めピンとで構成した軸部としたが、これに限定せず、デフレクタ３２を回転自在に軸支可能であれば適宜の構成としてもよい。
【０１０３】
また、車両後方へ向けて湾曲するように傾斜したデフレクタ先端部３２１を有するデフレクタ３２としたが、これに限定せず、適宜の形状のデフレクタとしてもよい。例えば、所定の厚みを有する略平板状のデフレクタであってもよい。あるいは、ヘッダトリム１２５の後面に沿うように形成したデフレクタであってもよい。
【０１０４】
この発明の構成と、上述の実施形態との対応において、
この発明の付勢手段は、実施形態のトーションスプリング３３に対応し、
以下同様に、
開閉ルーフ車は、車両１に対応し、
所定範囲は、整流範囲Ｗに対応し、
受風部は、デフレクタ先端部３２１の上方部分に対応し、
位置決め手段は、位置決め部材２５に対応し、
切欠き部分は、切欠き部分３２１ａに対応し、
対向突出部は、デッキカバー２３に対応するが、
この発明は、上述の実施形態の構成のみに限定されるものではなく、多くの実施の形態を得ることができる。
【符号の説明】
【０１０５】
１…車両
９…フロントウインドウガラス
１０…ウインドウ枠材
２０…開閉ルーフ
２３…デッキカバー
２５…位置決め部材
３１…軸部
３２…デフレクタ
３３…トーションスプリング
３２１…デフレクタ先端部
３２１ａ…切欠き部分
Ｗ…整流範囲
【図１】
2016107852.tif 000003
【図２】
2016107852.tif 000004
【図３】
2016107852.tif 000005
【図４】
2016107852.tif 000006
【図５】
2016107852.tif 000007
【図６】
2016107852.tif 000008
【図７】
2016107852.tif 000009
【図８】
2016107852.tif 000010
【図９】
2016107852.tif 000011
【図１０】
2016107852.tif 000012
【図１１】
2016107852.tif 000013